(57)【要約】  本発明は、懸濁液内の固形要素（Ｂ）を含む不均質な形態で貯蔵された化粧品（Ｐ）を放出するための器具に関する。本器具は、容器（１）と、放出用端部ピース（４）と、容器（１）と放出用端部ピース（４）との間で製品を移送するための案内パイプと、容器（１）から端部ピースに向けて製品を流すための適切な手段と、を備える。案内パイプは、容器（１）の流出部において、案内パイプの第１の部分を形成すると共に、流出部において、前記案内パイプ内に突出する縁部を有する、徐々に広がる断面を備える第１ステージ（Ｅ１）と、放出用端部ピースの近位において、案内パイプの第２の部分を形成すると共に、徐々に狭まる断面を有する第２ステージ（Ｅ２）とを備えた、固形要素（Ｂ）を破壊するための器具を備えている。本発明は、そのような器具と、懸濁液内の固形要素（Ｂ）を含む化粧品またはケア製品とを備えた組立体にも関する。
2020528319.tif 000002
【特許請求の範囲】
【請求項１】
包含する流体を放出するために、機械的に破裂させることができる、懸濁液内の固形要素（Ｂ）を含む不均質な形態で貯蔵された、液体、半流動体、またはペースト状の化粧品またはケア製品（Ｐ）を放出するための器具であって、
製品を貯蔵するために構成された貯蔵部（１）、
製品を放出するための放出先端部（４）、
貯蔵部（１）と放出先端部（４）との間で製品の移送を可能にする案内ダクトおよび、
案内ダクトを介して、貯蔵部（１）から先端部への製品の流れを生じるように構成された手段であって、案内ダクトが固形要素（Ｂ）を破裂させるための器具を備える手段、
を備え、
固形要素を破裂させるための器具が、
貯蔵部（１）からの出口において、案内ダクトの第１の部分を形成すると共に、前記案内ダクト内に突出する縁部を出口において有する、変化する横断面を有する第１ステージ（Ｅ１）および、
放出先端部の近位において、案内ダクトの第２の部分を形成すると共に、断面が漸進的に制限される第２ステージ（Ｅ２）、
を備えることを特徴とする、器具。
【請求項２】
破裂器具の第２ステージ（Ｅ２）の下流に逆止弁（９１）をさらに備える、請求項１に記載の器具。
【請求項３】
逆止弁（９１）が、第１ステージ（Ｅ１）の出口断面よりも小さく、かつ第２ステージ（Ｅ２）の最も制限された断面よりも小さい断面積の製品のための流出口を有する、請求項２に記載の器具。
【請求項４】
第１ステージ（Ｅ１）の出口断面が星形である、請求項１〜３のいずれか一項に記載の器具。
【請求項５】
第２ステージ（Ｅ２）の断面の制限が、該第２ステージ（Ｅ２）の入口断面積の５０％から９５％の間に含まれる制限である、請求項１〜４のいずれか一項に記載の器具。
【請求項６】
破裂器具の第２ステージ（Ｅ２）に形成された、案内ダクトの第２の部分が円錐台形状である、請求項１〜５のいずれか一項に記載の器具。
【請求項７】
前記器具が、互いに当接し、かつ互いに対して回転可能な、細長中空の回転体（３）と、細長中空の外側バレル（２）とを備え、
放出先端部（４）が、回転体（３）の端部に締結されており、
前記回転体（３）および前記外側バレル（２）が内部容積を形成し、内部容積が、
案内ダクトを備える穴開きシリンダ（５）および、
穴開きシリンダ（５）が挿入される開口端部および、貯蔵部（１）を形成するように閉鎖端部を備える内側バレルと、を備え、
器具が、前記回転体（３）および前記外側バレル（２）によって形成された内部容積の内側で、外側バレル（２）に対する回転体（３）の回転を、穴開きシリンダ（５）に対する内側バレルの並進運動に変換するための機構を備える、請求項１〜６のいずれか一項に記載の器具。
【請求項８】
内側バレルの開口端部を通して挿入される穴開きシリンダ（５）の一方の端部に固定して取り付けられると共に、穴開きシリンダ（５）内に案内ダクトの第１の部分を形成する細長部分を備えるピストン（５２）をさらに備え、ピストン（５２）が、破裂器具の第１ステージ（Ｅ１）を形成する中心開口部（５３）を備える、請求項７に記載の器具。
【請求項９】
請求項１〜８のいずれか一項に記載の器具および、包含する流体を放出するために機械的に破裂されることができる、懸濁液内の固形要素（Ｂ）を含む化粧品またはケア製品を備え、前記化粧品またはケア製品が、器具の貯蔵部（１）内に貯蔵されている、組立体。
【請求項１０】
固形要素（Ｂ）が、第２ステージ（Ｅ２）の最も制限された断面の最大寸法よりも小さい直径を有する、実質的に球形のビーズである、請求項９に記載の組立体。
【発明の詳細な説明】
【技術分野】
【０００１】
本発明は、化粧品またはケア製品を放出および塗布するための器具の分野に関する。
【背景技術】
【０００２】
化粧品は、肌もしくは表面の付属器官のためのメーキャップ製品ならびに身体に塗布するための香料組成物または芳香組成物を全て包含する。
【０００３】
ケア製品は、特に、病変の防止または治療のために、人間または動物の身体に塗布するための製品を備える。
【０００４】
本発明は、特に、液体、半流動体、またはペースト状の形態を取る、そのような化粧品またはケア製品を放出および塗布するための器具に関する。
【０００５】
本発明は、懸濁液中に分散した固形要素を含む異種混合物の塗布に関し、特に利点を有する。そのような混合物は、例えば固形粒子またはビーズを備えることができ、これらはゼリー状の膜によって囲まれた液体コアを備えても良い。例えば、特定の化粧品またはケア製品は、そのように包含された活性成分、エキス、または他の成分を備える。
【０００６】
しかし、そのような不均質混合物の粒子またはビーズは、混合物の放出の間、すなわち、混合物を使用者に塗布する際、または、例えば貯蔵部と塗布器との間の混合物の移動の間の、その塗布直前に内容物を放出するために破裂されなければならない。
【０００７】
必要に応じて、粒子またはビーズの内容物は、混合物の残りと均質化されなければならない。
【０００８】
そのような流体は、既知の方式で、高い吸引能力を有するポンプによって、またはエアレスポンプを使用して放出されることができる。
【０００９】
しかし、これらポンプは比較的コストがかかるという欠点を有しており、懸濁液内に固体を含む溶液の吸引には適していないことがあり得る。このため、懸濁液内の固体は、ポンプを閉塞して損傷を与える場合があり、放出器具を動作不良にする。
【００１０】
不均質な液体またはペースト状の組成物における、懸濁液内の固形要素の破壊、摩滅、および／または混合をするように構成されたフィルタまたは格子状の部材を放出器具に備えることが、最新技術で予期されている。米国特許第５２８４２７５号明細書は、第１の製品のビーズが第２の製品内に含まれる混合物によって形成された接着剤配合物の放出のための部材を提供している。この文献に記載の部材は、放出部材内の製品の流れの方向に対して垂直なフィルタ壁を備える。ピストンが、フィルタ壁を通してビーズが押圧されることを可能にし、フィルタ壁はビーズを破裂させる。しかし、そのような器具は、フィルタ壁の閉塞を受けやすい。
【００１１】
この問題を部分的に解決する放出手段の１つが、仏国特許発明第２９９４５３６号明細書の文献にさらに開示されている。この文献に開示される器具は、組成物を放出するように案内するための案内ダクトを備え、この案内ダクトにはフィルタ部材が設けられ、このフィルタ部材は、通常は円錐状であり、それにより、案内ダクトの軸線とゼロではない角度を形成しているフィルタ壁を備える。
【００１２】
フィルタ部材は、ピストンの圧力下で、フィルタ壁が備える開口部位置において、フィルタ壁と干渉するビーズの膜を破裂させることを可能にする。
【００１３】
いずれにしろ、そのようなフィルタ部材が、大量の製品を搬送することを可能にし得るが、組成物に含まれる全てのビーズ（もしくは他の固形要素）、または大部分のビーズでさえ、フィルタ部材を通過する際に破裂されることを確実にはしない。
【００１４】
そのようなフィルタ部材を備える放出器具は、このため、特定の大部分のパーセンテージのビーズが製品の塗布の前に破裂することを確実にする必要がある特定の製品を放出するためには、あまり適切ではない。これは、例えばリップスティックまたはリップグロス（一般的に、「グロス」の用語で示される）に関するケースである。その理由は、使用者による口唇への最終的な塗布が、塗布の前に破裂しなかったビーズの破裂を可能にしないからである。
【先行技術文献】
【特許文献】
【００１５】
【特許文献１】米国特許第５２８４２７５号明細書
【特許文献２】仏国特許発明第２９９４５３６号明細書
【発明の概要】
【発明が解決しようとする課題】
【００１６】
本発明は、最初は不均質であり、懸濁液中に固形要素を含む、液体またはペースト状の化粧品またはケア製品を放出するための器具であって、閉塞のリスクを制限しつつ、製品を放出する際に破裂させられる固形要素の量を最大にすると共に確実にすることおよび、製品の均一化を可能にする器具を提供することを対象とする。
【課題を解決するための手段】
【００１７】
このため、本発明は、包含する流体を放出するために機械的に破裂させることができる、懸濁液内の固形要素を含む不均質な形態で貯蔵された液体、半流動体またはペースト状の化粧品またはケア製品を放出するための器具であって、製品を貯蔵するために構成された貯蔵部と、製品を放出するための放出先端部と、貯蔵部と放出先端部との間で製品の移送を可能にする案内ダクトと、案内ダクトを介して、貯蔵部から先端部への製品の流れを生じるように構成された手段であって、案内ダクトが固形要素を破裂させるための器具を備える手段と、を備える器具に関する。固形要素を破裂させるための器具は、貯蔵部からの出口において、案内ダクトの第１の部分を形成すると共に、前記案内ダクト内に突出する出口縁部を有する、変化する横方向断面を備える第１ステージと、放出先端部の近位において、案内ダクトの第２の部分を形成すると共に、断面が徐々に制限される、第２ステージと、を備える。
【００１８】
本出願人は、２つのステージを備え、この各ステージが異なるモードで前記要素を破裂させる、固形要素の破裂のための器具が、その破裂器具を通過する固形要素の大部分、または場合によっては実質的に全て、あるいは全てを破裂させることを可能にすることを見出した。
【００１９】
破裂器具のステージが、貯蔵部と、製品を放出するための先端部との間に、製品のための案内ダクトの各部分を形成することから、器具の閉塞のリスクならびに固形要素を破裂させるための器具によって生じる圧力の損失が低減され、この事実が、大量の製品を容易に放出することを可能にする。
【００２０】
本器具は、破裂器具の第２ステージの下流に逆止弁をさらに備えても良い。逆止弁は、第１ステージの出口断面よりも小さく、かつ第２ステージの最も制限された断面よりも小さい断面積の製品のための流出口を有しても良い。
【００２１】
第１ステージの出口断面は、例えば、星形である。
【００２２】
第２ステージの断面の制限は、例えば、第２ステージの入口断面積の５０％〜９５％の間に含まれる制限としても良い。
【００２３】
破裂器具の第２ステージに形成された案内ダクトの第２の部分は、円錐台形状としても良い。
【００２４】
本器具は、互いに当接し、互いに対して回転可能な、細長中空の回転体および細長中空の外側バレルを備えても良く、放出先端部は回転体の端部に締結され、前記回転体および外側バレルは内部容積を形成し、この内部容積内に、案内ダクトを備える穴開きシリンダが設けられており、内側バレルが、穴開きシリンダが挿入される開口端部および、貯蔵部を形成するように閉鎖された端部を備える。本器具は、前記回転体および前記外側バレルによって形成された内部容積の内側で、外側バレルに対する回転体の回転を、穴開きシリンダに対する内側バレルの並進運動に変換するための機構を備えても良い。本器具は、内側バレルの開口端部を通して挿入された穴開きシリンダの一方の端部に固定して取り付けられたピストンと、穴開きシリンダ内に案内ダクトの部分を形成する細長部分をさらに備えても良く、ピストンが、破裂器具の第１ステージを形成する中心開口部を備える。
【００２５】
本発明は、上述のような器具と、収容する流体を放出するために、機械的に破裂されることができる懸濁液内の固形要素を含む化粧品またはケア製品と、を備え、前記化粧品またはケア製品が、器具の貯蔵部内に貯蔵されている組立体にも関する。
【００２６】
そのような組立体においては、固形要素は、第２ステージの最も制限された断面の最大寸法より小さい直径の、実質的に球形のビーズであっても良い。
【００２７】
本発明のさらに他の独自性および利点が、以下の記載で明らかとなるであろう。
【００２８】
添付図面は非限定的な例として与えられる。
【図面の簡単な説明】
【００２９】
【図１】本発明の実施形態に係る製品放出器具の概略断面図である。
【図２】図１の器具の分解図である。
【図３】図１および図２の器具を構成する特定の部材を示す３次元の切断された概略図である。
【図４】固形要素を破裂させるための、器具の第１ステージの例を示す３次元概略図である。
【図５】固形要素を破裂させるための、器具の第２ステージの例を示す、一部が切られた３次元概略図である。
【図６】本発明のいくつかの実施形態で実施されることができる、逆止弁の例を示す、３次元の、一部が切断された概略図である。
【発明を実施するための形態】
【００３０】
図１は、本発明の実施形態に係る器具を示している。図２はさらに、図１の器具の分解図を示しており、構成部品を詳述し、組立体が理解されることを可能にする。
【００３１】
この器具は、流体、半流動体、またはペースト状の化粧品またはケア製品Ｐの放出および塗布を可能にする。製品Ｐは、この製品が懸濁液内に固形要素Ｂを含むことから、不均質と呼ばれる。固形要素Ｂは、この固形要素Ｂが包含する流体を放出するために、機械的に破裂させることができる。固形要素Ｂは、例えば、ゼリー状のシェルを含むビーズとしても良く、このシェル内には、１つまたは複数の液体、活性成分、エキス、精油、または他の成分が包含されている。
【００３２】
固形要素Ｂは、器具の貯蔵部１内に貯蔵されている場合、製品中の懸濁液内にあり、あるいは使用前に器具を振ることにより、懸濁液内に入れることとしても良い。
【００３３】
ここで示される実施形態の例では、貯蔵部１は、内側バレルと称される部材によって形成されている。
【００３４】
内側バレルは、一方の端部が閉鎖され、他方の端部が開口している直円柱の形状を有している。
【００３５】
本器具は、外側バレル２を備える。外側バレル２は、放出器具の下部を形成する。この外側バレル２は、細長形状であり、円筒状または角柱状の外形を有しても良い。外側バレル２は、閉鎖壁を備えることができる底部２１を備える。空気流入部を、底壁２１を通して形成されていても良い。空気流入部は、外側バレル２の内側と外側との間で空気の交換を可能にする。具体的には、空気流入部は、製品の放出の間に、外側バレル２内における、内側バレル１の、以下に記載の移動の際に外側バレルへの空気の流入を可能にする。外側バレル２は、反対側の開口面２２をも備えており、この開口面２２内に、内側バレル１が挿入される。外側バレル２の内側形状は、内側バレルの外側形状に適合し、クリアランスが許容されている。このことは、内側バレル１の、本器具の主軸線（Ａ）に沿う、外側バレル２内での長手方向の移動、あるいは、換言すると摺動を可能にする。
【００３６】
外側バレル２は、透明あるいは半透明であることが有利であり、このことが、器具内での内側バレルの位置が見られることを可能にする。器具内の内側バレルの位置はさらに、残りの製品の所与の量に対応する。換言すると、内側バレルの位置を見ることが、使用者が、製品の残量、または、逆に製品の消費量を見ることを可能にする。
【００３７】
内側バレル自体が透明あるいは半透明の場合、製品を直接見ることができる。このことは、美観的価値を与え、さらに、製品の外見、特に、製品の色、製品の輝き、および／または、懸濁液内の固形要素の存在などの製品の他の視覚的特性により、使用者が、所望の製品を識別することを可能にする。懸濁液内の固形要素は、固形要素の色、固形要素の輝き、固形要素の形状などにより、美観的価値を提供する外見を有することができる。
【００３８】
本器具は、器具の上部を形成する、回転体３と呼ばれる部材をも備えている。回転体３は、細長形状であり、円筒状または角柱状の外形、特に、内側バレル２の外形に適合する外形を有しても良い。回転体３は外側バレル２と当接する。回転体３は、器具の主軸線（Ａ）周りに、外側バレル２に対して回転することができる。
【００３９】
回転体３は、この回転体３が、器具による化粧品の放出を生じさせるために、外側バレル２に対して使用者が回転させる部材を構成することから、そのように設計されている。
【００４０】
回転体３は中空であり、このため、回転体３がリンクされる外側バレル２と共に、放出器具の内部容積を規定する。
【００４１】
ここで示されている例では、放出先端部４は、回転体３の一端に締結されている。放出先端部４は、塗布面４１を有しており、この塗布面４１により、化粧品Ｐが放出され、例えば、使用者の肌上を薄い均一な層で塗布することを可能にする。
【００４２】
回転体３および外側バレル２によって形成された内部容積内では、器具は、内側バレルのみならず、穴開きシリンダ５をも備える。穴開きシリンダ５は、その長さ全体に亘る、すなわち、主軸線（Ａ）と一致する軸線に沿う、長手方向のダクトを備える。この軸線に沿って、穴開きシリンダ５が延在している。
【００４３】
ここで示されている例では、穴開きシリンダ５は、回転体３に対し、並進運動可能に取り付けられており、この回転体３の内側に、穴開きシリンダ５が延在する。穴開きシリンダ５は、回転体３に締結されると共に、回転体３に対して回転可能に取り付けられている。
【００４４】
穴開きシリンダ５は、内側バレルの開口端部２２により、内側バレル内に挿入されている。
【００４５】
本器具は、外側バレル２に対する回転体３の回転を、穴開きシリンダ５に対する内側バレルの並進運動に変換するための機構を備えている。
【００４６】
このため、前記回転体および前記外側バレルによって形成された内部容積内では、内側バレル１が移動可能であり、一方、穴開きシリンダ５は、長手方向に固定されたままである。内側バレルの移動のために、穴開きシリンダは、前記内側バレル内で、より大であるかより小である範囲に入る。これにより、化粧品Ｐの貯蔵のために貯蔵部１内で利用可能な内部容積を変化させる。
【００４７】
貯蔵部の利用可能な容積の低減が、穴開きシリンダ５のダクト５１を通して対応する量の製品Ｐを排出させる。
【００４８】
移動を変換するための機構は、様々な構成を有することができる。これら機構は、ここで示される例のように、内側バレルに結合されたネジ部（雄または雌のネジ山を有する）に基づくと共に、回転体３と穴開きシリンダ５とによって形成された組立体が、このネジ部と協働するように構成されたネジ部（対応して、雌ネジまたは雄ネジ）を備えているという事実に基づくものとすることができる。
【００４９】
回転体３および穴開きシリンダ５によって形成された前記組立体の回転により、前記回転体３内において、前記ネジ構成要素と内側バレル１とを並進運動させ、結果として、穴開きシリンダ５に対して内側バレル１を並進運動させる。
【００５０】
図１および図２の例では、ネジ構成要素は、雌のネジ山と称される、内側のネジ山を有するリング７１である。リング７１は、内側バレルの開口端部２２に締結されており、リング７１が、内側バレルのネジが切られた開口位置を除き、開口端部２２を閉塞する。
【００５１】
回転体内で上昇する際には、内側バレルは、穴開きシリンダ５に沿って上昇する。この効果は、製品Ｐのために貯蔵部１内で利用可能な内部容積を低減することおよび、穴開きシリンダ５のダクト５１を通して、所定量の製品Ｐを内側バレルから排出させることである。
【００５２】
本器具は、穴開きシリンダの端部に締結されたピストン５２を備えている。ピストン５２は、貯蔵部１と放出先端部４との間に、製品Ｐのための案内ダクトを形成するように、ダクト５１と連通する中心開口部５３を備えている。
【００５３】
中心開口部５３は、こうして、穴開きシリンダ５内の製品Ｐと接触しているピストン５２の前面５４と、ダクト５１の残りの部分との間に流体連通を提供する。ピストン５２は、内側バレルの内壁とシールするように接触している外周面５５を有するように構成されている。
【００５４】
中空のシリンダ５のネジ部に沿って、リング７１の並進運動を可能にするために、前記リング７１は、外側バレル２に対して回転可能に取り付けられて保持されている間、外側バレル２および回転体３に対する並進運動に関しては自在でなければならない。このため、本器具は、回転体内に延在するスリーブ１０を備えている。スリーブ１０は、外側バレル２に対して固定されており、また、リング７１の並進運動のためのガイドを有している。
【００５５】
このため、外側バレル２は、その上部にノッチ形成部２５を備える。このノッチ形成部２５は、前記スリーブの対応する歯形成部１０１と係合するように構成されており、これにより、外側バレル２に対するスリーブ１０の回転をロックする。スリーブ１０は、その内面に、長手方向、すなわち主軸線（Ａ）に対して平行な溝を備え、この溝に沿ってリング７１が案内される。リング７１は、このため、その外周に、長手方向溝上を摺動するノッチ７２（図２）を有しても良い。
【００５６】
このため、内側バレルが穴開きシリンダ５周りに上昇すると、ピストン５２の前面５４の下の、内側バレルの利用可能な容積の低減により、この低減に対応する量の製品Ｐが排出される。
【００５７】
製品は、塗布先端部４に到達する前にピストン５２の中心開口部５３を経て、その後穴開きシリンダのダクト５１を通過し、塗布面４１に達する前に排出オリフィス４２を通過して排出される。
【００５８】
貯蔵部１内での製品の貯蔵と、製品の放出との間に、製品Ｐは、固形要素を破裂させるための器具を通過する。固形要素を破裂させるための器具は、貯蔵部１内に不均質な形態で貯蔵された、製品Ｐ内の懸濁液内にある、流体を包含する固形要素を破裂させるか破壊するように構成されており、それにより、製品Ｐの放出の直前に、流体が、製品Ｐの残りの部分と混合されるようになっている。固形要素の大部分は、固形要素を破裂させるための器具によって破裂されて放出され、成否は、それによって比較的均一になる（しかしながら、本発明のいくつかの変形形態では、固形要素は、破壊されないか、完全に破裂しないまま残り得る）。
【００５９】
固形要素を破裂させるための器具は、少なくとも２つのステージ、すなわち、第１ステージＥ１と第２ステージＥ２とを備える。固形要素を破裂させるための器具は案内ダクト内に形成され、該器具は、ピストン５２の中心開口部５３と、穴開きシリンダ５のダクト５１とを備える（または、これらによって構成されている）。図１および図２の放出器具を備える破裂器具の例は、特に、図３の３次元断面図で示されている。
【００６０】
図３では、図１および図２に示すような放出器具を構成する特定の部品のみを示している。図３では、
貯蔵部１、
回転体３、
穴開きシリンダ５、
ピストン５２および、
逆止弁９１
が示されている。
【００６１】
ピストン５２、具体的には、ピストン５２の中心開口部５３は、固形要素を破裂させるための器具の第１ステージＥ１を形成している。放出先端部４に対して近位にある、ダクト５１の端部は、固形要素を破裂させるための器具の第２ステージＥ２を形成している。
【００６２】
図４は、ピストン５２の細部の図を示しており、図３と共に、第１ステージＥ１の構成をより良好に理解することを可能にする。
【００６３】
固形要素を破裂させるための器具の第１ステージＥ１は、ピストン５２の中心開口部５３によって形成されている。中心開口部５３は、穴開きシリンダ５内に挿入されるピストン５２の細長部分に延在するダクトである。中心開口部５３により、貯蔵部１をダクト５１と流体連通させる。
【００６４】
ここで示す例では、中心開口部は、貯蔵部１の位置において、広い円形断面を有する入口を備えており、製品Ｐ、より具体的には、製品Ｐが包含する固形要素Ｂが自在に通過することを可能にする。中心開口部５３の入口の直径は、このため、固形要素５３の最大寸法（例えば、球形の物質では、固形要素Ｂの直径）よりも実質的に大である。
【００６５】
出口においては、ピストン５２の中心開口部５３は、図４に示すように、星形の形状である。多くの出口形状が、固形要素を破裂させるための器具の第１ステージＥ１に関して予期することができ、前記形状には、前記案内ダクトの内側に突出する縁部が含まれている。可能性のある形状には、星形、具体的には、例えば、５個、６個、７個または８個の三角形の頂点を有する星形形状が含まれる。可能性のある形状は、十字、および、５個または６個のリムを含む星形の形状を含む。
【００６６】
中心開口部５３の入口形状と、該中心開口部５３の出口形状との間の変化は、好ましくは漸進的であり、中心開口部５３の長さの一部に亘るか、全体に亘って延在する。
【００６７】
出口断面の制限により、製品の流れを加速し、中心開口部５３内に突出する縁部に対して固形要素を押圧することが可能になる。この縁部は、固形要素、特に固形要素の外壁を破裂させる傾向にある。
【００６８】
固形要素を破裂させるための器具の第２ステージは、案内ダクトの断面の実質的な制限によって構成されている。図示の例では、案内ダクトの断面の制限は、穴開きシリンダ５のダクト５１によって形成された案内ダクトの部分に限定されている。
【００６９】
図５は、回転体３および、この回転体３に締結された穴開きシリンダ５の３次元図を示している。この図は、これら部品の内部を示すように切断されている。
【００７０】
固形要素を破裂させるための器具の第２ステージＥ２を形成する断面の制限は漸進的であり、固形要素が破裂するまで固形要素を圧縮する傾向にある。このため、ここでは、ダクト５１の出口断面に対応する、第２ステージの最も制限された断面は、この断面が、固形要素Ｂが大きく変形することなく通過することを許容しないようになっており、固形要素Ｂの破裂に繋がる。例えば、第２ステージの、最も制限された断面の最大寸法（すなわち、制限が円形の場合では断面の直径であり、制限が楕円形の場合では長軸の長さである等）は、固形要素が実質的に球形の場合、固形要素の直径より小である。例えば、最も制限された断面（ここでは、第２ステージＥ２の出口断面）は円形とすることができ、０．６ｍｍの直径を有する。第１ステージは０．８ｍｍ以下の直径のビーズの通過を可能にすることができるような断面を有しても良い。
【００７１】
ビーズは、例えば、１ｍｍオーダーの直径を有し、潜在的に一定の寸法上の分散を伴っている。
【００７２】
第１ステージＥ１の効果と第２ステージＥ２の効果との結合により、多数の固形要素の破裂が可能になる。例えば、固形要素が、弱められているが第１ステージＥ１によっては破裂されていない壁を有する場合、この壁は、その壁が前もって弱められていることに起因して、第２ステージにおける圧縮によって容易に破裂させられる。さらに、製品中に存在する固形要素は、その寸法に一定の分散を有し得る。第１ステージＥ１は、特に、最も大きな固形要素の破裂を可能とし、一方、第２ステージＥ２は、第１ステージＥ１によっては破裂しなかった、最も小さい固形要素の破裂を可能にする。第１ステージＥ１における最も大きい要素の破裂のために、大きな固形要素による第２ステージＥ２の断面の制限の閉塞に繋がる圧力の損失が制限される。
【００７３】
ここで示されている本発明の変形例では、逆止弁９１が、ダクト５１の流出部と塗布先端部４との間に配置されている。逆止弁９１は、器具に収容される製品Ｐが、外気から保護されることを可能にする。逆止弁９１は、一定の範囲まで、製品を内側バレルに向かって吸い戻される傾向にある回転方向に回転体が作動されることを回避することをも可能にする。
【００７４】
逆止弁９１は、製品Ｐの放出に先立って、製品Ｐ内に存在する固形要素の破裂を補助することもできる。実際のところ、逆止弁９１は、小さい出口断面と、図６に示すようないくつかの実施形態では、膜またはフィン９２とを有することができ、この膜またはフィンは、閉じると共に、そのケースにおいては、固形要素の壁を破壊することなく破裂させるために、器具の第１ステージおよび第２ステージを通過した固形要素の壁を破壊する傾向にある。
【００７５】
有利には、逆止弁は、例えば使用者のハンドバッグ内で、放出器具が上下逆になった位置にある（塗布先端部４が下方を向いた）場合、放出器具の全体的なシールに寄与する。
【００７６】
本発明は、化粧品またはケア製品Ｐであって、前記製品を放出する直前に、流体を放出する必要がある、例えばリップグロスなどの、化粧品またはケア製品Ｐの放出に特に適しており、成分が、得られるグロスを向上させるために放出される。
【００７７】
上述の器具の固定されたピストンおよび回転体の機構は、本発明に係る器具に特に良好に適しており、その理由は、放出される製品の量を容易に制御することを可能にするためである。ポンプを有する旧型のシステムと比較すると、製品によるポンプ閉塞のリスクが除去されている。
【００７８】
この原理の上で、他の機構が実施される場合がある。例えば、他の機構では、回転体は、その内面に部分的にネジ部を備えており、一方、貯蔵部は、対応する雄のネジ山を有するリングに結合されているか、このリングを備えている。
【００７９】
本発明は、概して、案内ダクトを介しての製品Ｐの放出を可能にする任意のタイプの機構を採用し得る。この機構では、固形要素を破裂させるための器具の２つのステージが設けられている。
【００８０】
放出先端部４が、製品のタイプおよび意図される塗布ゾーンに応じて様々な形状を有する場合があることに留意されたい。
【００８１】
放出先端部４は、実質的に円錐状であるか、図１の例のように実質的に平坦であり、器具の主軸線（Ａ）に対して傾斜している塗布面を有するか、例えば、ドーム状とすることができる。
【００８２】
提供される器具は特に、より一般的には「グロス」の用語によって示される、リップグロスの塗布のために構成されている。
【００８３】
こうして開発された本発明は、不均質な形態で貯蔵されている、すなわち固形要素を含む化粧品またはケア製品の放出を可能にする器具を提供する。連続して配置され、詰まりやすいフィルタ形の部材を有していない、固形要素を破裂させるための器具の少なくとも２つのステージの存在のために、本発明は、放出される製品内に存在する固形要素の大部分（または全体）の破裂を可能にし、一方、最新技術で既知である器具に比べ、閉塞のリスクを限定している。
【図１】
2020528319.tif 000003
【図２】
2020528319.tif 000004
【図３】
2020528319.tif 000005
【図４】
2020528319.tif 000006
【図５】
2020528319.tif 000007
【図６】
2020528319.tif 000008
【国際調査報告】
2020528319.tif 000009
2020528319.tif 000010
2020528319.tif 000011
2020528319.tif 000012
2020528319.tif 000013
2020528319.tif 000014